(57)【要約】【課題】  ポインタ機能を搭載しながらも、小型、軽量、安価な携帯通信端末を提供することを目的とする。【解決手段】  撮像部と被写体までの距離に合わせて撮像部に被写体画像を結像させる光学制御部と、光学制御部を保護する、光透過率の高い材質で構成された透明レンズカバーと、画面上で文字又は画像を表示する位置を示す指示子を表示する表示部と、撮像部より転送された各画像に基づいて表示部上に表示された指示子を移動させる制御回路とを備えたことを特徴とする。【選択図】        図１
2006215762.tif 000002
【特許請求の範囲】
【請求項１】
撮像部と被写体までの距離に合わせて前記撮像部に被写体画像を結像させる光学制御部と、
前記光学制御部を保護する、光透過率の高い材質で構成された透明レンズカバーと、
画面上で文字又は画像を表示する位置を示す指示子を表示する表示部と、
前記撮像部より転送された各画像に基づいて前記表示部上に表示された前記指示子を移動させる制御回路とを備えたことを特徴とする携帯通信端末。
【請求項２】
前記透明レンズカバーは、光拡散処理がされていることを特徴とする請求項１記載の携帯通信端末。
【請求項３】
カメラポインタ機能に適した撮影効果モードを記憶するメモリを有することを特徴とする請求項１記載の携帯通信端末。
【請求項４】
撮像部と被写体までの距離に合わせて前記撮像部に被写体画像を結像させる光学制御部と、
前記光学制御部を保護する、光透過率の高い材質で構成された透明レンズカバーと、
各種アプリケーションに対応付けた軌跡パターンが登録されているメモリと、
前記撮像部より転送された各画像及び前記メモリに登録された軌跡パターンに基づいて該軌跡パターンに対応付けられたアプリケーションを起動する制御回路とを備えたことを特徴とする携帯通信端末。
【発明の詳細な説明】
【技術分野】
【０００１】
この発明は、カメラ機能を有する携帯通信端末に関するものである。
【背景技術】
【０００２】
画面上で文字又は画像を表示する位置を示す指示子としてのポインタを用いたポインタ機能を搭載した携帯通信端末が、種々提案されている（例えば、特許文献１乃至５参照）。
【特許文献１】特開２００３−３０８１６８号公報
【特許文献２】特開２００３−２８３６１５号公報
【特許文献３】特開２００２−３５１６０８号公報
【特許文献４】特開２００２−３１８６６１号公報
【特許文献５】特開２００１−１８９７９２号公報
【発明の開示】
【発明が解決しようとする課題】
【０００３】
従来のポインタ機能を搭載した携帯通信端末は、ポインタ専用のデバイスを必要とするため、小型化、軽量化、安価にすることが困難であった。
【０００４】
この発明は、上記のような問題点を解決するためになされたものであり、ポインタ機能を搭載しながらも、小型、軽量、安価な携帯通信端末を提供することを目的とする。
【課題を解決するための手段】
【０００５】
この発明に係る携帯通信端末は、撮像部と被写体までの距離に合わせて撮像部に被写体画像を結像させる光学制御部と、光学制御部を保護する、光透過率の高い材質で構成された透明レンズカバーと、画面上で文字又は画像を表示する位置を示す指示子を表示する表示部と、撮像部より転送された各画像に基づいて表示部上に表示された指示子を移動させる制御回路とを備えたことを特徴とする。
【発明の効果】
【０００６】
この発明に係る携帯通信端末は、ポインタ専用のデバイスを使用することなくポインタ機能を実現できるので、小型化、軽量化、低コスト化が図れる。
【発明を実施するための最良の形態】
【０００７】
以下の説明では携帯通信端末の一例である携帯電話について説明するが、本発明は携帯電話に限定されるものではない。
【０００８】
実施の形態１．
図１〜５は実施の形態１を示す図で、図１は携帯電話のブロック図、図２は携帯電話の外観斜視図、図３はレンズカバーを閉じた状態での表示部に表示される表示イメージを示す図、図４はユーザが実際に操作する指の動きのパターンを示す図、図５はメモリに予め記憶されている軌跡パターンの図である。
【０００９】
図１に示すように、携帯電話の内部には光学制御部２によって結像された被写体画像を取り込む撮像部１があり、それらの上部には光学制御部２を保護する透明レンズカバー３ａが配置されている。この透明レンズカバー３ａは、光拡散処理がされている場合もあり、透明レンズカバー３ａの表面上の画像について、光学制御部２を通して撮像部１に結像させることができる。この透明レンズカバー３ａは移動させることが可能であり、透明レンズカバー３ａが移動したことを検出するカバー位置検出部４が透明レンズカバー３ａに接続されている。
【００１０】
カバー位置検出部４で透明レンズカバー３ａの位置を検出することにより、携帯電話がどのような状態であっても、透明レンズカバー３ａを開くだけでデジタルカメラ機能の起動や、撮影が可能となる。
【００１１】
また、制御回路５に接続されたキー部８からのキー入力により、制御回路５はメモリ６ａからカメラポインタ機能に適した撮影効果モードを読出し、光学制御部２と撮像部１を制御して、透明レンズカバー３ａの表面上の画像について、光学制御部２を通して撮像部１に結像させることができる。
【００１２】
ポインタ機能では、デジタルカメラ機能時のマクロモードよりも更に近接撮影が必要であるため、レンズカバー上の物体にピントが合うよう光学制御部を制御する必要がある。そのため、超近接撮影専用の光学制御パラメータが、ポインタ機能に適した撮影効果モードとして設定されている。
また、ポインタ機能使用時は物体の動きが検出できればよく、物体の詳細画像を取り込む必要はない。そのためエッジ強調やコントラスト強調、色数の削減など物体の輪郭抽出に適した画像効果パラメータも、ポインタ機能に適した撮影効果モードとして設定されている。
これらパラメータの最適値は、基本的にメーカにて設定されているため、事前にユーザが設定する必要はない。ただし、ユーザによる設定変更を制限するものではない。
【００１３】
キー部８からのキー入力により、カメラポインタ機能を有効にした上で、透明レンズカバー３ａ上に指などを置き、その画像を光学制御部２を通して撮像部１に結像させ、画像を制御回路５に取り込む。撮像部１は毎秒２０フレーム程度で撮像を行い、制御回路５に継続して転送する。
【００１４】
制御回路５は、取り込まれた各画像を比較することにより、透明レンズカバー３ａ上の指の移動を検出することが可能であり、この指の移動に合わせて、制御回路５に接続された表示部９上に表示されたポインタなどを移動させることができる。
ポインタ機能の使用中には、透明レンズカバー３ａの開閉（移動）の必要はない。しかし、操作性が損なわれないよう、ポインタ機能の使用中であっても、透明レンズカバー３ａの開閉によりデジタルカメラ機能の起動を可能とする。そのため、透明レンズカバー３ａは移動可能な構成となっており、図２の矢印のように移動する。
【００１５】
デジタルカメラ機能の起動は、透明レンズカバー３ａの開閉（移動）によって行われる。但し、透明レンズカバー３ａからの起動のみに制限されることはなく、その他の機能と同様に、ポインタ機能からのデジタルカメラ機能の起動も可能である。その場合、図４のようなイメージとなる。
【００１６】
透明レンズカバー３ａが透明の場合、遠方の被写体もカバー表面上に映り込むため、電話装置を動かしながら操作した場合、ポインタが誤動作する可能性がある。そこで、透明レンズカバーの表面に光拡散処理を行えば、透明レンズカバーに直接触れている物体の画像だけが取り込まれるため、誤動作の可能性は低い。
【００１７】
また、取り込まれた各画像を比較することにより、透明レンズカバー３ａ上の指の軌跡を解析し、メモリ６ａに予め記憶されている軌跡パターンと一致した場合には、メモリ６ａにパターンごとに事前に設定されている機能（電卓機能やインターネット接続機能など）を起動させることも可能である。この機能は、透明レンズカバー３ａ上を指などでなぞってパターンを描き、そのパターンを認識することによってＷｅｂ機能や、電卓機能など各種アプリケーションを起動させる機能であり、ポインタ機能とは異なる、別機能である。
【００１８】
ユーザが実際に操作する指の動きのパターンとしては、一筆書きで構成されるパターン（指の軌跡）は認識率が高いと考えられる。図４にそのパターンの具体例を示す。これのパターンは、書き始めの始点と、書き終わりの終点を入れかえれば、別パターンとして認識可能である。
【００１９】
メモリ６ａに予め記憶されている軌跡パターンは、図４に示したパターンとその書き方（始点と終点など）であり、図５のようになる。
【００２０】
従って、従来の携帯電話に比較して、透明レンズカバー３ａ上の指などの移動により、表示部９上に表示されたポインタを移動させたり、指の移動パターンによりパターンごとに事前に設定された機能を起動させることが可能であるため、カメラ機能の使い勝手を改善させることができるという効果を有する。
【００２１】
また、光学制御部２を指などで直接触れないため、レンズ等を指紋で汚すことがなく、レンズカバーの移動によりカメラ機能を起動させた場合に、汚れによる画像のボケ等が発生せず、即座にきれいな画像を撮影することができるという効果も有する。
【産業上の利用可能性】
【００２２】
この発明の活用例として、カメラレンズの保護などでレンズカバーを有する携帯通信端末に利用できる。
【図面の簡単な説明】
【００２３】
【図１】実施の形態１を示す図で、携帯電話のブロック図である。
【図２】実施の形態１を示す図で、携帯電話の外観斜視図である。
【図３】実施の形態１を示す図で、レンズカバーを閉じた状態での表示部に表示される表示イメージを示す図である。
【図４】実施の形態１を示す図で、ユーザが実際に操作する指の動きのパターンを示す図である。
【図５】実施の形態１を示す図で、メモリに予め記憶されている軌跡パターンの図である。
【符号の説明】
【００２４】
１  撮像部、２  光学制御部、３  レンズカバー、３ａ  透明レンズカバー、４  カバー位置検出部、５  制御回路、６  メモリ、６ａ  メモリ、７  ライト部、８  キー部、９  表示部。
【図１】
2006215762.tif 000003
【図２】
2006215762.tif 000004
【図３】
2006215762.tif 000005
【図４】
2006215762.tif 000006
【図５】
2006215762.tif 000007